(57)【要約】【課題】充電中にも電子機器の配置される範囲が制限されない携帯型電子機器を提供すること。【解決手段】筐体と、前記筐体内に配置され、電源部から供給される電力によって駆動する内部回路と、電磁波を受信して電力を生成する、第１受信部と、を具備し、前記内部回路は、前記第１受信部によって生成された電力により前記電源部を充電する電源制御回路を備え、前記第１受信部は、前記筐体との相対位置が可変となるように、少なくともケーブルを介して前記電源制御回路に接続されている。【選択図】図３
2009065749.tif 000002
【特許請求の範囲】
【請求項１】
筐体と、
前記筐体内に配置され、電源部から供給される電力によって動作する内部回路と、
電磁波を受信して電力を生成する、第１受信部と、
を具備し、
前記内部回路は、前記第１受信部によって生成された電力により前記電源部を充電する電源制御回路を備え、
前記第１受信部は、前記筐体との相対位置が可変となるように、少なくともケーブルを介して前記内部回路に接続されている
携帯型電子機器。
【請求項２】
請求項１に記載された携帯型電子機器であって、
前記第１受信部は誘導コイルである
携帯型電子機器。
【請求項３】
請求項１又は２に記載された携帯型電子機器であって、
更に、
電磁波を受信して電力を生成する第２受信部
を具備し、
前記電源制御回路は、前記第２受信部によっても前記電源部を充電し、
前記第２受信部は、前記筐体との相対位置が固定されるように、前記内部回路に接続されている
携帯型電子機器。
【請求項４】
請求項３に記載された携帯型電子機器であって、
前記電源部は、メインバッテリと二次バッテリとを含んでいる
携帯型電子機器。
【請求項５】
請求項４に記載された携帯型電子機器であって、
前記電源制御回路は、前記第２受信部によって生成された電力により前記メインバッテリを充電し、前記第１受信部によって生成された電力により前記二次バッテリを充電する
携帯型電子機器。
【請求項６】
請求項３乃至５のいずれかに記載された携帯型電子機器であって、
前記内部回路は、更に、電磁波を発生させるための充電装置と無線により通信を行う無線アンテナ、を備え、
前記内部回路は、前記無線アンテナを介して、前記充電装置に、電磁波の供給の可否を問い合わせるための問い合わせ信号を無線により送信し、
前記電源制御回路は、前記充電装置による電磁波の供給が可能である場合に前記第２受信部によって充電を行い、前記ターミナル装置による電磁波の供給が不可能である場合に前記第１受信部によって充電を行う
携帯型電子機器。
【請求項７】
請求項６に記載された携帯型電子機器であって、
更に、
データを記憶するための記憶部
を具備し、
前記無線アンテナを介して、前記充電装置と前記記憶部との間でデータの書込み及び読み出しが行われる
携帯型電子機器。
【請求項８】
請求項６又は７に記載された携帯型電子機器と、
前記充電装置と、
を具備する
携帯型電子機器システム。
【請求項９】
電源部から供給される電力により、筐体内に設けられた内部回路を駆動するステップと、
前記筐体との相対位置が可変である第１受信部を介して電磁波を受信し、電力を生成して前記電源部を充電する第１充電ステップと、
を具備する
携帯型電子機器の充電方法。
【請求項１０】
請求項９に記載された携帯型電子機器の充電方法であって、
前記第１受信部は、誘導コイルである
携帯型電子機器の充電方法。
【請求項１１】
請求項９又は１０に記載された携帯型電子機器の充電方法であって、
更に、
前記筐体との相対位置が固定されるように配置された第２受信部を介して電磁波を受信し、電力を生成して前記電源部を充電する第２充電ステップ、
を具備する
携帯型電子機器の充電方法。
【請求項１２】
請求項９乃至１１のいずれかに記載された携帯型電子機器の充電方法であって、
前記電源部は、メインバッテリと二次バッテリとを含んでいる
携帯型電子機器の充電方法。
【請求項１３】
請求項１２に記載された携帯型電子機器の充電方法であって、
前記第２充電ステップにおいて、前記メインバッテリを充電し、
前記第１充電ステップにおいて、前記二次バッテリを充電する
携帯型電子機器の充電方法。
【請求項１４】
請求項１３に記載された携帯型電子機器の充電方法であって、
更に、
電磁波を発生させるための充電装置に、電磁波の供給の可否を問い合わせるための問い合わせ信号を送信し、前記充電装置からの返信結果に基づいて、前記充電装置からの電磁波の受信可否を判定する判定ステップ、
を具備し、
前記判定ステップにおいて受信が可能であると判定したときに、前記第２充電ステップを実行し、
前記判定ステップにおいて受信が不可であると判定したときに、前記第１充電ステップを実行する
携帯型電子機器の充電方法。
【請求項１５】
請求項１４に記載された携帯型電子機器の充電方法であって、
更に、
前記充電装置と無線通信により、データの読み込み及び書き込みを行うステップ、
を具備する
携帯型電子機器の充電方法。
【請求項１６】
電源部から供給される電力により、筐体内に設けられた内部回路を駆動するステップと、
前記筐体との相対位置が可変である第１受信部を介して電磁波を受信し、電力を生成して前記電源部を充電する第１充電ステップと、
をコンピュータに実行させるための携帯型電子機器の充電プログラム。
【請求項１７】
請求項１６に記載された携帯型電子機器の充電プログラムであって、
前記第１受信部は、誘導コイルである
携帯型電子機器の充電プログラム。
【請求項１８】
請求項１６又は１７に記載された携帯型電子機器の充電プログラムであって、
更に、
前記筐体との相対位置が固定されるように配置された第２受信部を介して電磁波を受信し、電力を生成して前記電源部を充電する第２充電ステップ、
をコンピュータに実行させるための携帯型電子機器の充電プラグラム。
【請求項１９】
請求項１６乃至１８のいずれかに記載された携帯型電子機器の充電プログラムであって、
前記電源部は、メインバッテリと二次バッテリとを含んでいる
携帯型電子機器の充電プログラム。
【請求項２０】
請求項１９に記載された携帯型電子機器の充電プログラムであって、
前記第２充電ステップにおいて、前記メインバッテリを充電し、
前記第１充電ステップにおいて、前記二次バッテリを充電する
携帯型電子機器の充電プログラム。
【請求項２１】
請求項１９又は２０に記載された携帯型電子機器の充電プラグラムであって、
更に、
電磁波を発生させるための充電装置に、電磁波の供給の可否を問い合わせるための問い合わせ信号を送信し、前記充電装置からの返信結果に基づいて、前記充電装置からの電磁波の受信可否を判定する判定ステップ、
をコンピュータに実行させ、
前記判定ステップにおいて受信が可能であると判定したときに、前記第２充電ステップを実行し、
前記判定ステップにおいて受信が不可であると判定したときに、前記第１充電ステップを実行する
携帯型電子機器の充電プラグラム。
【請求項２２】
請求項２１に記載された携帯型電子機器の充電プラグラムであって、
更に、
前記充電装置と無線通信により、データの読み込み及び書き込みを行うステップ、
をコンピュータに実行させる携帯型電子機器の充電プラグラム。
【発明の詳細な説明】
【技術分野】
【０００１】
本発明は、携帯型電子機器に関し、特に、電源部に対する充電が工夫された携帯型電子機器に関する。
【背景技術】
【０００２】
電子機器は、電源から内部回路に電力が供給されて駆動する。図１は、関連技術の一例として、データ記憶装置とターミナル装置とを備える電子機器の概略構成を示したブロック図である。図１に示される電子機器は、ターミナル装置とデータ記憶装置との間でデータの送受信が行われるように構成されている。この電子機器のデータ記憶装置は、メイン制御回路２１０、無線ＬＡＮ制御回路２１８、無線ＬＡＮ用アンテナ２１９、電源制御回路２１６、及び各種回路（ディスク制御回路２１１、ハードディスクユニット２１２、外部インターフェース回路２１３、操作回路２１４、表示制御回路２１５）を備えている。また、ターミナル装置は、メイン制御回路２０２、無線ＬＡＮ制御回路２０３、無線ＬＡＮ用アンテナ２０４、電源制御回路２０５、及び各種回路（表示制御回路２０１、操作回路２０８、外部インターフェース回路２０７）を備えている。ターミナル装置とデータ記憶装置とは、無線ＬＡＮ用アンテナ２０４と無線ＬＡＮ用アンテナ２１９により、無線通信を行う。
【０００３】
図１の電子機器において、データ記憶装置の電源制御回路２１６は、外部に設けられたＡＣーＤＣ外部電源回路２１７に接続されている。ＡＣ−ＤＣ外部電源回路２１７には、商用電源（ＡＣ１００Ｖ電源）から交流の電力が供給される。ＡＣ−ＤＣ外部電源回路２１７は、電力を交流から直流に変換して電源制御回路２１６に供給する。電源制御回路２１６は、ＡＣーＤＣ外部電源２１７から供給された電力を、メイン制御回路２１０や各種回路に電力を供給する。これにより、データ記憶装置が駆動される。同様に、ターミナル装置においても、電源制御回路２０５はＡＣ−ＤＣ外部電源回路２０６に接続されている。メイン制御回路２０２や各種回路には、ＡＣ１００Ｖ電源からＡＣ−ＤＣ外部電源回路及び電源制御回路２０５を介して電力が供給される。
【０００４】
図１に示した電子機器を動作させるためには、ケーブルを介して商用電源（ＡＣ１００Ｖ電源）と接続する必要がある。したがって、ＡＣ１００Ｖ電源から離れた場所では使用が難しく、携帯するのは難しい。
【０００５】
電子機器を携帯可能とするために、電子機器内にバッテリ（電源部）を内蔵させることが考えられる。しかし、バッテリの内蔵された電子機器でも、バッテリに蓄えられた電力が少なくなると、バッテリを充電しなければならない。バッテリを充電するためには、電線（ケーブル）などを用いて、充電装置や商用電源などに接続しなければならず、手間がかかる。
【０００６】
容易にバッテリを充電できるようにするため、電磁波を用いる技術が知られている。図２は、関連技術の一例として、電磁波によって充電の行われる電子機器システムの概略構成を示したブロック図である。図２の電子機器システムは、ターミナル装置と、データ記憶装置と、充電装置とを備えている。データ記憶装置は、内部制御回路１１１と、バッテリ１１８と、受電コイル１２１と、無線ＬＡＮ用アンテナ１１０とを備えている。また、ターミナル装置は、内部制御回路１０１と無線ＬＡＮ用アンテナ１０４とを備えている。データ記憶装置とターミナル装置とは、無線ＬＡＮ用アンテナ１０４と１１０との間での無線通信により、データの送受信を行うように構成されている。また、充電装置は、ＡＣ−ＤＣ電源回路１３０と、内部制御回路１３１と、送電コイル１３３とを備えている。ＡＣーＤＣ電源回路１３０は、商用電源（ＡＣ１００Ｖ電源）に接続される。
【０００７】
図２の電子機器システムにおける充電時の動作について説明する。ＡＣ１００Ｖ電源からの電力は、ＡＣ−ＤＣ電源回路を介して内部制御回路１３１に供給される。内部制御回路１３１は、送電コイル１３３によって電力供給用の電磁波を発生させる。電力供給用の電磁波は、データ記憶装置の受電コイル１２１で受信され、電力に変換される。変換された電力は、内部制御回路１３１を介してバッテリ１１８に供給される。これにより、バッテリ１１８が充電される。
【０００８】
図２の電子機器システムによれば、電磁波が用いられているので、データ記憶装置を充電装置に近づけるだけで充電を行うことができる。ケーブルなどでデータ記憶装置と充電装置とを接続する必要が無く、容易に充電を行うことができる。
【０００９】
このように電磁波を用いて充電を行う技術は、例えば、以下の特許文献１〜５に記載されている。
【００１０】
特許文献１には、電磁波によって発生する磁界から起電力を誘導させるための誘導コイルと、誘導コイルによって生じた交流の起電力を直流に変換させて二次電池に流し込むための充電回路とを備える、携帯電話機の充電装置が記載されている。この携帯電話機の充電装置を用いれば、家庭内の電気機器から放出されている電磁波によって起電力が誘導され、充電が行われる、と記載されている。
【００１１】
特許文献２には、充電用アダプターから誘導コイルを介して供給された電気エネルギーで充電式電池を充電する電池用充電回路において、誘導回路に誘起する誘導電圧を整流し平滑する整流平滑回路と、その整流平滑回路に接続されて所定レベルの電圧を出力する定電圧回路と、その定電圧回路からの電圧出力を所定レベルの電流に変換して充電式電池を充電する定電流回路とを備えることが記載されている。
【００１２】
特許文献３には、電波吸収センサを用いた携帯電話機充電装置が記載されている。
【００１３】
特許文献４には、商用電源から交流電力を受け、電子機器に搭載された充電可能なバッテリーを充電するバッテリー充電器において、電圧仕様が異なる複数のバッテリーに対応した充電電圧を発生するように充電電圧を自動的に可変する充電電圧化変種段を備えたバッテリー充電器が記載されている。この特許文献４には、電磁エネルギーが、バッテリー充電器の送電コイルから電子機器の受電コイルに向けて送信され、充電が行われることが記載されている。
【００１４】
特許文献５には、充電池の搭載された携帯型情報機器を保持する保持手段と、保持に応じてその携帯型情報機器の電線が接続される接続手段と、充電池の充電を行う充電手段と、記憶装置に記憶された情報の二次記憶を行う記憶手段と、二次記憶及び充電を制御する制御手段を備えた情報記憶装置が開示されている。この特許文献５には、情報記憶装置において、電磁誘導を利用して充電機構を構成することも可能である、と記載されている。
【００１５】
【特許文献１】特開２０００−５０５１２号  公報
【特許文献２】特開２００１−１９７６７２号  公報
【特許文献３】特開２００２−３５４７０９号  公報
【特許文献４】特開２００５−２３７１５５号  公報
【特許文献５】特開平８−６９６８４号  公報
【発明の開示】
【発明が解決しようとする課題】
【００１６】
しかしながら、電磁波を用いて充電を行うとしても、電子機器を、電磁波を受信可能な程度に、電磁波を発生させる機器（充電装置など）の近くに配置しなければならない。そのため、電子機器の配置できる範囲は、充電中には制限され、可搬性は制限される。
【００１７】
従って、本発明の目的は、充電中にも電子機器の配置される範囲が制限されない携帯型電子機器を提供することにある。
【課題を解決するための手段】
【００１８】
本発明の携帯型電子機器は、筐体と、その筐体内に配置され、電源部から供給される電力によって動作する内部回路と、電磁波を受信して電力を生成する、第１受信部と、を具備する。その内部回路は、その第１受信部によって生成された電力によりその電源部を充電する電源制御回路を備える。その第１受信部は、その筐体との相対位置が可変となるように、少なくともケーブルを介してその内部回路に接続されている。
【００１９】
また、本発明の携帯型電子機器の充電方法は、電源部から供給される電力により、筐体内に設けられた内部回路を駆動するステップと、その筐体との相対位置が可変である第１受信部を介して電磁波を受信し、電力を生成して前記電源部を充電する第１充電ステップと、を具備する。
【発明の効果】
【００２０】
本発明によれば、ケーブルを用いることで、第１受信部と筐体との相対位置が可変とされているので、第１受信部が電磁波を受信できる位置に置かれていれば、電子機器（筐体）自体は電磁波の届かない位置に配置されていても、充電を行うことが出来る。従って、充電中にも電子機器の配置される範囲が制限されない携帯型電子機器が提供される。
【発明を実施するための最良の形態】
【００２１】
（第１実施例）
図面を参照しつつ、本発明の第１実施例について説明する。
【００２２】
図３は、第１実施例の携帯型電子機器システムの概略構成を示すブロック図である。図３に示されるように、携帯型電子機器システムは、データ記憶装置１０（携帯型電子機器）と、充電装置２０とを備えている。このような携帯型電子機器システムとしては、例えば、デジタルＡＶプレーヤ等が挙げられる。データ記憶装置１０は、データを蓄積するための装置である。充電装置２０は、電力供給用の電磁波を発生させ、データ記憶装置１０に備えられたバッテリの充電を行うための装置である。また、充電装置２０は、データ記憶装置１へのデータの蓄積や、データ記憶装置１０からのデータ読み出し等を行うターミナル装置としての機能も有している。充電装置２０とデータ記憶装置１０との間のデータ送受信は、データ記憶装置１０が充電装置２０にセットされたときに行われる。その際、データの送受信は無線信号によって行われる。
【００２３】
データ記憶装置１０は、筐体１８（本体）と、内部回路１と、電源部２と、第１誘導コイル３（第１受信部）と、第２誘導コイル４（第２受信部）と、無線用アンテナ５と、を備えている。内部回路１は、無線制御回路６、記憶部（ディスク制御回路７及びハードディスクユニット８）、表示制御回路９、外部インターフェース回路１１、メイン制御回路１２、電源制御回路１３、誘導コイルレシーバ回路１４、１５を備えている。また、電源部２は、メインバッテリ１６と、二次バッテリ１７とを備えている。
【００２４】
一方、充電装置２０は、表示制御回路２１、メイン制御回路２２、無線制御回路２３、無線用アンテナ２４、電源用誘導コイル２５、外部インターフェース回路２６、電源制御回路２７、誘導コイルドライバ回路２８、及び操作回路２９を備えている。充電装置２０は、電源制御回路２７でＡＣ−ＤＣ外部電源回路３０と接続されている。ＡＣ−ＤＣ外部電源回路３０は、商用電源（ＡＣ１００Ｖ電源）からの交流電力を直流電力に変換する回路である。
【００２５】
以下に、データ記憶装置１０の構成について、詳細に説明する。
【００２６】
第１誘導コイル３は、この携帯型電子機器システムの周囲に発生している電磁波を受信し、交流の誘導起電力を生成するためのコイルである。第１誘導コイル３は、ケーブル１９を介して内部回路１に接続されている。一方、内部回路１は、筐体１８に対して固定されて配置されている。第１誘導コイル３の筐体１８に対する相対位置は、ケーブル１９により可変となっている。すなわち、ケーブル１９を引き出すことで第１誘導コイル３を筐体１８の外に取り出すことが可能であり、ケーブル１９を引き出さず第１誘導コイル３を筐体１８内に収めておくことも可能である。
【００２７】
第２誘導コイル４は、充電装置２０から送られる電力供給用の電磁波を受信し、交流の誘導起電力を生成するコイルである。第２誘電コイル４は、内部回路１に接続されており、生成した誘導起電力は内部回路１へ供給される。第１誘導コイル３とは異なり、第２誘導コイル４は、データ記憶装置２０が充電装置２０にセットされたときに電磁波を効率よく受信できるように、筐体１８に対して固定されている。
【００２８】
電源部２は、内部回路１に電力を供給するためのものである。電源部２のメインバッテリ１６及び二次バッテリ１７は、筐体に対して着脱自在に設けられている。メインバッテリ１６は、主として充電装置２０から供給される電力により充電されるバッテリである。一方、二次バッテリ１７は、補助用のバッテリであり、主として周囲に発生している電磁波によって充電される。
【００２９】
内部回路１は、二次バッテリ１７でも動作可能なように、低電圧で駆動可能に構成されている。以下に、内部回路１の各構成について、説明する。
【００３０】
メイン制御回路１２は、内部回路１の全体の動作を制御するための回路である。メイン制御回路１２は、互いにバス（図示省略）で接続された、ＣＰＵ（図示省略）、ＲＯＭ（図示省略；Ｒｅａｄ  ｏｎｌｙ  ｍｅｍｏｒｙ）、ＲＡＭ（図示省略；Ｒａｎｄｏｍ  ａｃｃｅｓｓ  ｍｅｍｏｒｙ）などを備えている。メイン制御回路１２は、ＲＯＭに格納されたプログラムによってその動作を実現する。そのプログラムには、充電時の内部回路１の動作を制御する充電プログラム（データ記憶装置側充電プログラム）も含まれている。
【００３１】
無線制御回路６は、充電装置２０との間で、無線によりデータ信号（各種デジタル信号や各種アナログ信号）を送受信するための回路である。無線制御回路６は、メイン制御回路１２と無線用アンテナ５とに接続されている。無線制御回路６は、無線用アンテナ５を介して送受信される信号を、変調・復調するように構成されている。
【００３２】
ディスク制御回路７及びハードディスクユニット８は、各種データを格納するために設けられている。ディスク制御回路７は、メイン制御回路１２に接続されている。ディスク制御回路７は、メイン制御回路１２から送られてくる各種データをハードディスクユニット８に格納したり、各種データをハードディスクユニット８からメイン制御回路１２に送るように構成されている。
【００３３】
外部インタフェース回路１１は、外部装置とのインターフェース機能を有する回路である。外部インターフェース回路１１としては、例えばＵＳＢインタフェース機能を有する回路が挙げられる。データ記憶装置１０は、この外部インターフェース回路１１を介して、外部装置（例えば、ＵＳＢインターフェース回路を持つパーソナルコンピュータ、等）と接続することができる。
【００３４】
表示制御回路９は、ＬＥＤ（Ｌｉｇｈｔ  Ｅｍｉｔｔｉｎｇ  Ｄｉｏｄｅ）等を備えており、メイン制御回路１２からの指示に基づいて、ディスク制御回路７、電源制御回路１３、及び無線制御回路等の状態を発光表示する。
【００３５】
誘導コイルレシーバ回路１５は、既述のようにケーブル１９を介して、第１誘導コイル３に接続されている。また、誘導コイルレシーバ回路１４は、第２誘導コイル４に接続されている。誘導コイルレシーバ回路１４及び１５は、電源制御回路１３に接続されており、第１誘導コイル３及び第２誘導コイル４から供給された交流の電力を直流に変換して電源制御回路１３に供給する。
【００３６】
電源制御回路１３は、電源部２の動作を制御するための回路である。電源制御回路１３は、誘導コイルレシーバ回路１４、１５、電源部２、及びメイン制御回路１２に接続されている。電源制御回路１３は、誘導コイルレシーバ回路１４、１５から供給された電力の電圧などを調整して、電源部２に供給する。これにより、電源部２が充電される。また、電源制御回路１３は、電源部２に蓄えられた電力を所定の電圧に変換して内部回路１の各回路に振り分ける。また、電源制御回路１３は、電源部２のメインバッテリ１７及び二次バッテリ１６の充電量を検出し、その検出結果をメイン制御回路１２に送信する。
【００３７】
続いて、充電装置２０の各構成について、詳細に説明する。
【００３８】
メイン制御回路２２は、充電装置２０全体の動作を制御するための回路である。メイン制御回路２２は、互いにバス（図示省略）で接続された、ＣＰＵ（図示省略）、ＲＯＭ（図示省略；Ｒｅａｄ  ｏｎｌｙ  ｍｅｍｏｒｙ）、ＲＡＭ（図示省略；Ｒａｎｄｏｍ  ａｃｃｅｓｓ  ｍｅｍｏｒｙ）などを備えている。メイン制御回路２２は、ＲＯＭに格納されたプログラムによってその動作を実現する。そのプログラムには、充電時における充電装置２０の動作を制御する充電プログラム（充電装置側充電プログラム）も含まれている。
【００３９】
無線制御回路２３は、データ記憶装置１０との間で無線通信を行うための回路である。無線制御回路２３は、メイン制御回路２２と無線用アンテナ２４とに接続されている。無線制御回路２３は、無線用アンテナ２４を介して送受信される信号を、変調・復調するように構成されている。
【００４０】
表示制御回路２１は、ＬＣＤ等の表示画面を備え、メイン制御回路２２から送信される各種表示データを表示画面に表示する。
【００４１】
操作回路２９は、ユーザの指示を充電装置２０に入力するための回路である。
【００４２】
外部インターフェース回路２６は、データ記憶装置１０側の外部インターフェース回路１６と同様に、外部装置との間のインターフェース機能を有する回路である。
【００４３】
電源制御回路２７は、電力の供給を制御するための回路である。電源制御回路２７は、ＡＣ−ＤＣ外部電源回路３０に接続されている。ＡＣ−ＤＣ外部電源回路３０は、商用電源（ＡＣ１００Ｖ電源）から供給される交流電力を、直流電力に変換する回路である。電源制御回路２７には、ＡＣ−ＤＣ外部電源回路３０から直流電力が供給される。電源制御回路２７は、供給された直流電力の電圧などを変換し、充電装置２０の各回路に供給する。
【００４４】
また、電源制御回路２７は、誘導コイルドライバ回路２８にも接続されている。データ記憶装置１０の充電時には、電源制御回路２７が誘導コイルドライバ回路２８に、充電用の電力を供給する。
【００４５】
誘導コイルドライバ回路２８は、電源用誘導コイル２５に接続されている。誘導コイルドライバ回路２８は、電源制御回路２７から供給された充電用の電力によって、電源用誘導コイル２５から電磁波を発生させる。
【００４６】
電源用誘導コイル２５は、電力供給用電磁波として磁力線（すなわち、変動する磁場）を発生するように構成されているとよい。磁力線を用いると、マイクロウェーブなどと比べ電力の供給可能な範囲が狭くなり、至近距離にデータ記憶装置１０が存在しないと電力供給を行うことが困難となる。しかしながら、電力供給用電磁波が他の周辺機器に与える影響を、十分に抑制することができる。
【００４７】
尚、ＡＣ−ＤＣ外部電源回路３０は、ＡＣ１００Ｖ電源から電力供給の有無を検出し、その検出結果を電源制御回路２７に送信する。また、ＡＣ−ＤＣ外部電源回路３０の状態（オン／オフ／スタンバイ）は、メイン制御回路２２によって制御される。例えば、ユーザが、操作回路２９を介して、ＡＣ−ＤＣ外部電源回路３０の状態を設定すると、メイン制御回路２２は、設定された状態となるようにＡＣーＤＣ外部電源回路３０を制御する。
【００４８】
本実施例の携帯型電子機器システムでは、データ記憶装置１０に電源部２が内蔵されているので、携帯可能となっている。
【００４９】
また、充電装置２０とデータ記憶装置１０との間でデータの送受信を行う場合には、データ記憶装置１０が充電装置２０にセットされる。すると、充電装置２０側の無線用アンテナ２４と、データ記憶装置１０側の無線アンテナ５との間で無線通信が可能となる。メイン制御回路２２及びメイン制御回路１２は、無線制御回路（６、２３）及び無線用アンテナ（５、２４）を介して無線通信を行う。メイン制御回路１２は、充電装置２０側から無線通信により送信されてきた信号に基づいて、ハードディスクユニットに蓄積されるデータの読み込み／書込みを行う。
【００５０】
また、データ記憶装置１０の内部回路１には、次のような動作により、電力が供給される。
【００５１】
充電装置２０とデータ記憶装置１０とが、電力の供給が可能な程度に近くに存在する場合、充電装置２０から電力供給用の電磁波が送信される。データ記憶装置１０では、第２誘導コイル４によって電力供給用電磁波が受信され、誘起起電力が生成される。その誘起起電力は、誘導コイルレシーバ回路１４を介して電源制御回路１３に供給される。電源制御回路１３は、誘導コイルレシーバ回路１４から供給された電力を内部回路１に供給する。
【００５２】
一方、充電装置２０とデータ記憶装置１０とが、電力の供給が不可能な程度に離れている場合、電源制御回路１３は電源部２に蓄えられた電力を内部回路１に供給する。ここで、まず、メインバッテリ１６に十分に電力が蓄えられていれば、メインバッテリ１６からの電量が内部回路１に供給される。メインバッテリ１６に十分に電力が蓄えられていない場合には、二次バッテリ１７に蓄えられた電力が内部回路１に供給される。
【００５３】
また、本実施例では、概略的に、電源部２が次のようにして充電される。充電装置２０がデータ記憶装置１０の近くに存在する場合、充電装置２０から送られてくる電力供給用電磁波によって、メインバッテリ１６が充電される。一方、充電装置２０がデータ記憶装置１０の近くに存在しない場合には、第１誘導コイル３が周囲に存在する電磁波を受信し、誘導起電力を生成する。第１誘導コイル３の誘導起電力は、誘導コイルレシーバ回路１５を介して電源制御回路１３に供給され、電源制御回路１３から二次バッテリ１７に充電される。この際、第１誘導コイル３はケーブルによって筐体１８との相対位置が可変となっているので、第１誘導コイル３を、周囲に存在する電磁波の受信し易い位置に、簡単に配置することができる。
【００５４】
図４を参照して、電源部２の充電方法をより詳細に説明する。図４は、本実施例の携帯型電子機器の充電方法を示すフローチャートである。以下に説明する充電方法は、メイン制御回路（１２、２２）が、インストールされた充電プログラム（データ記憶装置側充電プログラム、充電装置側充電プログラム）を実行することによって、行われる。
【００５５】
ステップＳ０１；電力供給可否の判断
データ記憶装置１０側では、メイン制御回路１２が、定期的に、無線制御回路６及び無線用アンテナ５を介して、充電装置２０に電力供給可否を問い合わせるための問い合わせ信号を発信する。データ記憶装置１０が充電装置２０の近くに存在する場合（データ記憶装置１０が充電装置２０にセットされている場合）、充電装置２０側では、メイン制御回路２２が、その問い合わせ信号を、無線用アンテナ２４及び無線制御回路２３を介して取得する。充電装置２０側では、メイン制御回路２２が、商用電源（ＡＣ１００Ｖ電源）からの電力の供給可否を把握している。メイン制御回路２２は、電力供給可否を示す信号を、無線制御回路２３及び無線用アンテナ２４を介してデータ記憶装置１０に送信する。この信号に基づいて、メイン制御回路１２は、充電装置側２０から電力の供給が可能であるか否かを判別する。尚、データ記憶装置１０が充電装置２０の近くに存在しない場合には、充電装置２０側から電力供給可否を示す信号が返信されない。この場合、メイン制御回路１２は充電装置２０からの電力供給が不可であると判別する。
【００５６】
充電装置２０からの電力供給が可能である場合、メイン制御回路１２は、次のステップＳ０２を実行する。一方、電力供給が不可である場合、メイン制御回路１２は、後述するステップＳ０７を実行する。
【００５７】
ステップＳ０２；メインバッテリの電力量の判定
メイン制御回路１２は、電源制御回路１２を介して、メインバッテリ１６に蓄えられた電力量が規定値以上であるか否かを判定する。ここでの規定値は、例えば、予めＲＯＭなどに格納されて設定されている。メイン制御回路１２は、電源制御回路１２により検出されたメインバッテリ１６の電力量を、充電装置２０に送信する。
【００５８】
メインバッテリ１６の電力量が規定値以上であった場合には、再びステップＳ０１に戻る。内部回路１が駆動しており、充電装置２０から電力供給用の電磁波が供給されていれば、電源制御回路１３は、供給された電力を、電源部２には振り分けず、内部回路１に直接供給する。
【００５９】
一方、メインバッテリ１６の電力量が規定値に満たない場合には、次のステップＳ０３〜０５が実行される。
【００６０】
ステップＳ０３〜０５；メインバッテリの充電（第２充電ステップ）
充電装置２０から電力供給用電磁波が供給されていなければ、メイン制御回路１２は、メインバッテリ１６を充電するための電力供給用電磁波の出力を、充電装置２０に要請する。すなわち、電力供給の要請信号を、無線で充電装置２０に送信する。充電装置２０側は、その要請信号を受信すると、電源用誘導コイル２５により電力供給用の電磁波を出力する。また、無線用アンテナ２４を介して、電力供給用の電磁波を出力した旨を示す無線信号を送信する。メイン制御回路１２は、充電装置２０から電力供給用電磁波を送信した旨の信号を受信すると、電源制御回路１３を制御して、電源用誘導コイル１１３に生じた誘導起電力をメインバッテリ１６の充電に充てる。そして、メイン制御回路１２は、メインバッテリ１６の充電が完了したか否かを判定する。判定結果は、無線用アンテナ５を介して充電装置２０にも送られる（ステップＳ０３）。充電が完了していない場合には、電源制御回路１３が、第２誘導コイル４を介して取得した充電装置２０からの電力を、メインバッテリ１６に供給する。これにより、メインバッテリ１６が充電される（ステップＳ０４）。所定量の充電が行われた後、充電量が予め定められた規定値以上となったか否かが確認される（ステップＳ０５）。規定値以上であった場合には、再びステップＳ０３で充電が完了したか否かが確認される。一方、規定値に満たない場合には、Ｓ０４に戻り、メインバッテリ１６の充電が続行される。ステップＳ０３にて、充電が完了したと判定された場合には、次のステップＳ０６が実行される。
【００６１】
ステップＳ０６；電源の設定
メイン制御回路１２は、無線用アンテナ５を介して、充電装置２０にデータ記憶装置１０の状態を通知する。充電装置２０は、通知されたデータ記憶装置１０の状態に基づいて、ＡＣ−ＤＣ外部電源回路３０の状態をオン／オフ／スタンバイの何れかに設定する。例えば、データ記憶装置１０の内部回路１が停止状態であれば、データ記憶装置１０に対して電力が供給される必要は無いので、メイン制御回路２２はＡＣ−ＤＣ外部電源回路３０の状態をスタンバイ又はオフ状態に設定する。データ記憶装置の電源部２に十分な電力が蓄えられていたとしても、内部回路１が駆動状態であれば、電力供給が必要であるので、ＡＣ−ＤＣ外部電源回路３０の状態をオン状態にしておく。
【００６２】
ステップＳ０７；メインバッテリの電力量の判定
一方、ステップＳ０１で電力の供給が不可であると判定した場合にも、ステップＳ０２と同様に、メインバッテリ１６に蓄えられた電力量が規定値以上であるか否かが判定される。メインバッテリ１６に蓄えられた電力量が規定値以上であれば、再びステップＳ０１が実行される。一方、電力量が規定値に達しない場合は、次のステップＳ０８が実行される。
【００６３】
ステップＳ０８；二次バッテリの電力量の判定
メイン制御回路１２は、電源制御回路１３を介して、二次バッテリ１７に蓄えられた電力量が規定値以上であるか否かを判定する。電力量が規定値以上の場合は、再びステップＳ０１が実行される。一方、電力量が規定値に達しない場合は、次のステップＳ０９が実行される。
【００６４】
ステップＳ０９〜１１；二次バッテリの充電（第１充電ステップ）
メイン制御回路１２は、第１誘導コイル３を介して生成された起電力が二次バッテリ１７に供給されるよう、電源制御回路１３を制御する。そして、メイン制御回路１２は、二次バッテリ１７が充電完了したか否かを判定する（ステップＳ０９）。充電が完了していない場合には、電源制御回路１３が、第１誘導コイル３を介して取得した周辺機器からの電力を、二次バッテリ１７に供給する。これにより、二次バッテリ１７が充電される（ステップＳ１０）。所定量の充電が行われた後、充電量が予め定められた規定値以上となったか否かが確認される（ステップＳ１１）。規定値以上であった場合には、再びステップＳ０９に戻り、充電が完了したか否かが確認される。一方、規定値に満たない場合には、Ｓ１０に戻り、二次バッテリ１７の充電が続行される。ステップＳ０９にて、充電が完了したと判定された場合には、既述のステップＳ０６が実行される。ステップＳ０６にて、充電装置２０が無線通信の可能な距離に存在する場合には、メイン制御回路２２がＡＣ−ＤＣ外部電源回路３０の状態（オン／オフ／スタンバイ）を設定する。充電装置２０が近くに存在しない場合には、充電装置２０における電源設定動作は行われない。
【００６５】
尚、充電装置２０側での動作と、データ記憶装置１０側での動作とを、より分かり易く区別できるように、充電時における充電装置２０側の動作を示すフローチャートを図５に示しておく。図５に示されるように、充電装置２０側では、既述のＳ０３においてデータ記憶装置１０側から送信されてくる判定結果に基づいて、データ記憶装置１０の充電が完了したか否かを認識する（ステップＳ２０）。充電が完了していない場合には、データ記憶装置１０へ電力供給用の電磁波を供給する（ステップＳ２１）。ステップＳ２１の後、既述のＳ０３においてデータ記ー憶装置１０側から、充電量が規定値以上となった旨を示す判定結果を受信したならば、再度ステップＳ２０に戻る（ステップＳ２２、ＹＥＳ）。データ記憶装置１０側から、充電量が規定値以上となった旨を示す判定結果を受信するまでは、電力供給用の電磁波を供給し続ける（ステップＳ２２、Ｎｏ）。ステップＳ２０において、データ記憶装置１０の充電が完了したと認識した場合には、既述のステップＳ０６にてデータ記憶装置１０の状態を示す信号が送られてくるので、このデータ記憶装置１０側の状態に基づいて、ＡＣ−ＤＣ外部電源回路３０の状態（オン／オフ／スタンバイ）を設定する（ステップＳ２３）。
【００６６】
以上説明したように、本実施例によれば、ケーブル１９によって第１誘導コイル３を筐体１８（データ記憶装置１０本体）から引き出すことが可能であるので、第１誘導コイル３を、周囲に存在する電磁波を受信し易い位置に、簡単に配置することができる。このとき、データ記憶装置１０の本体は、必ずしも周囲の電磁波の受信可能な位置に配置されている必要は無く、充電中における位置の制約は受けづらい。
【００６７】
また、周囲に存在する電磁波は、充電装置２０が発する電磁波などと比較すると微弱にならざるを得ない。従って、コイルが筐体内に配置されている場合には、周囲の電磁波により充電に必要な電力を十分に得ることは難しい。これに対して、本実施例では、筐体１８外に第１誘導コイルを配置することが可能であるので、比較的微弱な周囲の電磁波によっても、十分な電力を得ることができる。これにより、商用電源からの充電を長時間行わなくても、電源部２から内部回路１へ電力を供給することができる。
【００６８】
また、本実施例においては、第２誘導コイル４が、筐体に固定されて配置されている。ここで、第２誘導コイル４を、データ記憶装置１０が充電装置２０にセットされたときに電力供給用電磁波を受信し易い位置に配置しておけば、充電装置２０側からの電力供給用電磁波を効率よく受信し、電力とすることができる。
【００６９】
また、本実施例においては、メインバッテリ１６に加え、二次バッテリ１７が設けられている。メインバッテリに蓄えられた電力が低下したとしても、補助用の二次バッテリ１７によって内部回路１へ電力が供給され続けることができる。その結果、充電装置２０による充電を行うことができなくても、長期間にわたって内部回路１を動作させることができる。
【００７０】
また、本実施例では、充電装置２０からデータ記憶装置１０へ電力供給が、電磁波により行われる。また、充電装置２０とデータ記憶装置１０との間のデータのやり取りや、電力供給に関する信号のやり取りも、無線通信により行われる。従って、データ記憶装置１０をケーブルを介して充電装置２０に接続する必要が無く、取り扱いが簡便である。
【００７１】
また、本実施例では、充電装置２０からデータ記憶装置１０にデータの送信が行えるだけでなく、データ記憶装置１０から充電装置２０に対してもデータの送信が行えるので幅広い利用が可能となる。
【００７２】
尚、本実施例においては、充電装置２０とデータ記憶装置１０との間において無線通信が行われる場合について説明を行った。しかし、ケーブルによって、第１受信部３の筐体１８に対する相対位置が可変となってさえいれば、充電中における携帯型電子機器の配置が制約を受けない、という本実施例の作用を享受することが可能である。
【００７３】
（第２実施例）
続いて、第２実施例について説明する。図６は、本実施例の携帯型電子機器システムの構成を示す概略ブロック図である。本実施例では、第１実施例に対して、外部インターフェース回路１６から電源制御回路１３へ電力が供給される点が追加されている。その他の点については、第１実施例と同様とすることができるので、詳細な説明は省略する。
【００７４】
本実施例では、データ記憶装置１０が、外部インターフェース回路１６を介して、外部装置（ノートパソコンなど）に接続されたときに、その外部装置から外部インターフェース回路１６を介して電源制御回路１３に電力が供給される。そして、電源制御回路１３は、供給された電力を二次バッテリ１７に割り当てることで、二次バッテリ１７を充電する。
【００７５】
本実施例によれば、データ記憶装置１０が外部装置と接続されたときにも二次バッテリ１７が充電される。電源部２に電力をより長時間蓄えておくことが可能となり、データ記憶装置１０をより長時間動作させることが可能となる。
【００７６】
（第３実施例）
続いて、第３実施例について説明する。図７は、本実施例の携帯型電子機器システムの構成を示す概略ブロック図である。本実施例では、既述の実施例に対して、光発電素子１９が追加されている。その他の点については、既述の実施例と同様とすることができるので、詳細な説明は省略する。
【００７７】
光発電素子１９は、光を受光して電力に変換する素子であり、電源制御回路１３に接続されている。光発電素子１９は、筐体１８の外部からの光を受光することができるように、設けられている。光発電素子１９で受光された光は、電力に変換され、電源制御回路１３に供給される。電源制御回路１３は、光発電素子１９から供給された電力を用いて、二次バッテリ１７を充電する。
【００７８】
本実施例によれば、光発電素子１９が光を受光できる環境にあれば、二次バッテリ１７が充電される。電源部２に電力をより長時間蓄えておくことが可能となり、データ記憶装置１０をより長時間動作させることが可能となる。
【図面の簡単な説明】
【００７９】
【図１】関連技術の構成を示す概略ブロック図である。
【図２】関連技術の構成を示す概略ブロック図である。
【図３】実施例１の携帯型電子機器システムの構成を示す概略ブロック図である。
【図４】実施例１の携帯型電子機器システムの充電方法を示すフローチャートである。
【図５】実施例１において充電装置の動作を示すフローチャートである。
【図６】実施例２の携帯型電子機器システムの構成を示す概略ブロック図である。
【図７】実施例３の携帯型電子機器システムの構成を示す概略ブロック図である。
【符号の説明】
【００８０】
１  内部回路
２  電源部
３  第１誘導コイル
４  第２誘導コイル
５  無線用アンテナ
６  無線制御回路
７  ディスク制御回路
８  ハードディスクユニット
９  表示制御回路
１０  データ記憶装置
１１  外部インターフェース回路
１２  メイン制御回路
１３  電源制御回路
１４  誘導コイルレシーバ回路
１５  誘導コイルレシーバ回路
１６  メインバッテリ
１７  二次バッテリ
１８  筐体
１９  光発電素子
２０  充電装置
２１  表示制御回路
２２  メイン制御回路
２３  無線制御回路
２４  無線用アンテナ
２５  電源用誘導コイル
２６  外部インターフェース回路
２７  電源制御回路
２８  誘導コイルドライバ回路
２９  操作回路
３０  ＡＣ−ＤＣ外部電源回路
１０１  内部制御回路
１０４  無線ＬＡＮ用アンテナ
１１０  無線ＬＡＮ用アンテナ
１１１  内部制御回路
１１８  バッテリ
１２１  受電コイル
１３０  ＡＣ−ＤＣ電源回路
１３１  内部制御回路
１３３  送電コイル
２０１  表示制御回路
２０２  メイン制御回路
２０３  無線ＬＡＮ制御回路
２０４  無線ＬＡＮ用アンテナ
２０５  電源制御回路
２０６  ＡＣ−ＤＣ外部電源回路
２０７  外部インターフェース回路
２０８  操作回路
２１０  メイン制御回路
２１１  ディスク制御回路
２１２  ハードディスクユニット
２１３  外部インターフェース回路
２１４  操作回路
２１５  表示制御回路
２１６  電源制御回路
２１７  ＡＣ−ＤＣ外部電源回路
２１８  無線ＬＡＮ制御回路
２１９  無線ＬＡＮ用アンテナ
【図１】
2009065749.tif 000003
【図２】
2009065749.tif 000004
【図３】
2009065749.tif 000005
【図４】
2009065749.tif 000006
【図５】
2009065749.tif 000007
【図６】
2009065749.tif 000008
【図７】
2009065749.tif 000009